(57)【特許請求の範囲】
【請求項１】
長手方向を有する本体部と、
該本体部の前記長手方向の両側に設けられた固定具と、
前記本体部に設けられ、開口部を有し容器を収納可能な容器収納部と、
前記容器収納部の前記長手方向の両側に設けられ、装着者の骨盤に沿うように設けられた第１と第２の固定部とを備え、
前記容器収納部は、前記容器の外周を支持可能な支持部と、前記容器を内部に受け入れ可能なカバーを含み、
前記カバーは、伸縮性を有する伸縮部と、前記伸縮部より伸縮性の低い２つの低伸縮部とを有し、
前記２つの低伸縮部は、前記長手方向に垂直な方向において前記伸縮部を挟むとともに、前記垂直な方向における各一端が前記本体部に接続され、各他端が前記伸縮部に接続されている、ウエストバッグ。
【請求項２】
前記容器収納部が設けられた部分における、前記本体部の剛性を、前記カバーより高めた、請求項１に記載のウエストバッグ。
【請求項３】
前記伸縮部は、前記カバーの一端から他方端に達するように前記本体部の長手方向に延在する、請求項１または請求項２に記載のウエストバッグ。
【請求項４】
前記容器収納部の前記開口部の幅が、前記容器収納部の内部の幅よりも広い、請求項１〜請求項３のいずれか１項に記載のウエストバッグ。
【請求項５】
前記容器収納部と前記第１と第２の固定部との間に、前記容器収納部が設けられた部分における前記本体部より柔軟性を有する、軟質部をさらに備える、請求項１〜請求項４のいずれか１項に記載のウエストバッグ。
【発明の詳細な説明】
【技術分野】
【０００１】
この発明は、ウエストバッグに関し、より詳しくは、ペットボトル等の容器を携行できるよう、容器を収納可能なウエストバッグに関する。
【背景技術】
【０００２】
従来のウエストバッグは、収納力や軽量化、通気性、防水性等の機能面で改良が施されてきた。また、ウエストバッグの用途は、運動時に携帯可能なかばんとして設計されたものもあり、様々である。
【０００３】
例えば、特開２０１０−１８８０９３号公報には、運動中や移動中に携帯可能なボトルホルダとして、腕に固定するボトルホルダが開示されている。また、特許第４５４９２５７号公報には、装着者の運動を妨げることなく体の左右のバランスを保って装着でき、飲料容器の出し入れが簡単な携帯用飲料容器収納具が開示されている。
【先行技術文献】
【特許文献】
【０００４】
【特許文献１】特開２０１０−１８８０９３号公報
【特許文献２】特許第４５４９２５７号公報
【発明の概要】
【発明が解決しようとする課題】
【０００５】
しかしながら、ランニング等体の揺れを伴う移動時や運動時に収納具を携行する場合は、装着者の体の揺れに伴ってウエストバッグの揺れも大きくなりやすい。これは、運動時の動作を妨げ、装着者の体に負荷を掛けることに繋がる。
【０００６】
特開２０１０−１８８０９３号公報、および特許第４５４９２５７号公報は、ベルトに対して垂直方向に携帯用飲料容器を配置しおり、かつベルトと収納部とが広く面接触するように考慮されて設けられていない。これにより、揺れを伴う移動時や運動時等において、従来の容器収納具は、ベルトに対して平行方向にも、垂直方向にも揺れやすい。さらに、特開２０１０−１８８０９３号公報に開示されたボトルホルダーは、ボトルの中央部をベルト１本で固定する構成であり、特許第４５４９２５７号公報に開示された容器収納具は、容器を下から直接もしくは間接的に支持する構成であり、いずれも収納された容器の揺れについて考慮されていない。よって、特にランニング等の運動時には、容器収納部本体の揺れに加えて、収納部内の容器の揺れも激しくなる。
【０００７】
本発明は、上記のような課題を解決するためになされたものである。この発明の主たる目的は、移動時や運動時等のウエストバッグ本体の揺れのみならず、ウエストバッグに収納した容器の揺れをも抑制できるウエストバッグを提供することにある。
【課題を解決するための手段】
【０００８】
本発明に係るウエストバッグは、長手方向を有する本体部と、該本体部の長手方向の両側に設けられた固定具と、本体部に設けられ開口部を有する容器収納部と、容器収納部の長手方向の両側に位置して装着者の骨盤に沿うように設けられた第１と第２の固定部とを備える。容器収納部は、容器の外周を支持可能な支持部と、容器を内部に受け入れ可能なカバーとを含み、カバーは伸縮性を有する伸縮部と、低伸縮部より伸縮性の低い２つの低伸縮部とを有する。２つの低伸縮部は、長手方向に垂直な方向において伸縮部を挟むとともに、当該垂直な方向におけるける各一端が本体部に接続され、各他端が伸縮部に接続されている。
【０００９】
上記容器収納部が設けられた部分における本体部は、カバーよりも剛性が高いほうが好ましい。上記伸縮部は、カバーの一端から他方端に達するように、本体部の長手方向に延在してもよい。上記容器収納部の開口部の幅は、容器収納部の内部の幅よりも広くできる。容器収納部と第１と第２の固定部との間には、容器収納部が設けられた部分における本体部より柔軟性を有する、軟質部を備えることができる。
【発明の効果】
【００１０】
本発明のウエストバッグは、支持部と、伸縮部および低伸縮部を有するカバーとを含む容器収納部を備えるので、容器を締め付けて拘束することができ、移動時や運動時等においてもウエストバッグに収納した容器の揺れを抑制できる。また、装着者の骨盤に沿うように設けられた第１と第２の固定部を備えるので、移動時や運動時等においてもウエストバッグ本体の揺れを抑制することができる。
【図面の簡単な説明】
【００１１】
【図１】本発明の実施の形態１に係るウエストバッグの概略構成を示す正面図である。
【図２】図１の背面図である。
【図３】本発明の実施の形態１に係るウエストバッグの容器収納部の拡大断面図である。
【図４】本発明の実施の形態１に係るウエストバッグの装着状態を示す断面図である。
【発明を実施するための形態】
【００１２】
以下、図面に基づいて本発明の実施の形態を説明する。なお、以下の図面において、同一または相当する部分には、同一の参照番号を付し、その説明は繰り返さない。
【００１３】
（実施の形態１）
以下、本発明の実施の形態１について説明する。はじめに、図１〜図３を参照して実施の形態１に係るウエストバッグ１の構成について説明する。図１および図２に示すように、実施の形態１に係るウエストバッグ１は、容器収納部５を含む本体部３と、装着者の体に固定するための固定具２とを備える。
【００１４】
固定具２としては、装着者の体にウエストバッグ１を固定可能な構造を有するものであれば、任意の素材、構造を採用可能である。図１および図２の例では、固定具２は、本体部３の両側から延びる２本のベルトと、それぞれに設けられた接続部品により構成されている。
【００１５】
本体部３は、開口部８を有し容器を収納可能な容器収納部５と、容器収納部５の両側に、装着者の骨盤に沿うように設けられた第１と第２の固定部４ａ，４ｂとを備える。
【００１６】
容器収納部５は、容器の外周を支持可能な支持部７と、容器を内部に受け入れ可能なカバー６とを含み、開口部８を有する。図３に示すように、支持部７とカバー６とは、いずれも本体部３上に設けられる。
【００１７】
支持部７は、複数設けられ、該支持部７とカバー６との間に容器を収納した際に、容器の外表面を複数箇所で支持することができる。また、支持部７とカバー６とで容器を拘束し、ウエストバッグ１を装着時に、容器の揺れや回転を抑制することができる。図１および図２の例では、支持部７とカバー６とは、容器収納部５の長手方向の一端から他方端に達するよう延在しているが、支持部７とカバー６とで、装着時の容器の揺れや回転を抑制可能に構成できる限りにおいて、本体部３の長手方向に一体として形成されていなくてもよい。容器収納部５を、本体部３の長手方向に沿って、本体部３上に設けることで、長手方向への容器の揺れを抑制できる。
【００１８】
支持部７は、容器の形状に合わせて任意の形状を採用可能であり、かつ任意の数で構成可能である。図１〜図３の例では、円柱形の容器を収納する目的で設計しており、凸部を２箇所に設けている。支持部７の素材としては、可撓性を有する任意の素材を使用可能であるが、図１〜図３の例ではポリエチレンを採用している。
【００１９】
カバー６は、伸縮性を有する伸縮部６ａと、伸縮部６ａより伸縮性の低い低伸縮部６ｂとを有する。これにより、カバー６は、容器の外周を締め付け可能となる。低伸縮部６ｂの伸長率は１０％以下が好ましい。一方、伸縮部６ａの伸長率は２０％以上が好ましい。それにより、支持部７に対し容器を押し付けることができ、容器を拘束できる。その結果、ウエストバッグ１装着時の容器の揺れや回転を低減することができる。
【００２０】
伸縮部６ａは、カバー６の一端から他方端に達するように、本体部の長手方向に延在するのが好ましい。この場合には、カバー６の長手方向全体が容器の外周を締め付ける機能を有することになる。また、図１〜図３の例では、カバー６は、伸縮部６ａを低伸縮部６ｂで挟んだ構成を採用しているが、伸縮部６ａと低伸縮部６ｂとを有し、装着時の容器の揺れや回転を低減可能であれば、任意の構成を選択可能である。
【００２１】
伸縮部６ａの素材としては、伸縮性を有する任意の素材を使用可能であるが、図１〜図３の例では、ナイロン８３％、ポリウレタン１７％の合成素材よりなるパワーメッシュ生地を採用している。低伸縮部６ｂの素材としては、伸縮部６ａより伸縮性の低い任意の素材を使用可能であるが、図１〜図３の例では、ポリエステルを採用している。
【００２２】
容器収納部５が設けられた部分における本体部３は、カバー６よりも剛性が高いほうが好ましい。これにより、容器を収納時に、容器収納部５が設けられた部分における本体部３が、容器の形状に沿って変形することを抑制することができる。つまり、装着者の装着部とウエストバッグ１の本体部３との接触面積を大きく取ることができ、ウエストバッグ１は、ウエストバッグ１の揺れや位置ずれを抑制できる。移動時や運動時においてもウエストバッグ１を安定させることができ、装着者の動きを妨げない。容器収納部５が設けられた部分における本体部３の素材としては、剛性を有する任意の素材が使用可能であるが、図１〜図３の例では、ポリエチレン板を採用している。
【００２３】
容器収納部５は、開口部８を有するが、容器収納部５の開口部８の幅Ｗ１は、容器収納部５の中間部の幅Ｗ２より広く設けることができる。ここで、容器収納部５の幅とは、本体部３とカバー６との接合部間の距離をいうものと定義する。開口部８の幅Ｗ１を、容器収納部５中間部の幅Ｗ２より広くすることで、容器収納部５内部の容器に対して締め付ける効果を有しながら、容器の出し入れを容易にすることができる。
【００２４】
第１と第２の固定部４ａ，４ｂは、装着者の骨盤に沿うように設けられる。これにより、本体部３が装着者の体に適合するため、本体部３を装着者の体に強固に固定することができる。このことも、運動時におけるウエストバッグ１の揺れ抑制に寄与し得る。図１および図２の例では、ウエストバッグ１の形状は骨盤の形をもとに設計している。骨盤の形は男女で異なるため、ウエストバッグ１の形状は、装着者を男女に区別して異なる形状とするのが好ましい。
【００２５】
装着者の骨盤に沿うような第１と第２の固定部４ａ，４ｂの構成として、例えば、装着者の骨盤に引っ掛ける構成や、骨盤を挟みこむ構成を採ることができる。装着時のウエストバッグ１の、本体部３の長手方向および長手方向に垂直な方向への揺れや位置ずれを抑制するためには、第１と第２の固定部４ａ，４ｂは、前記骨盤を挟み込む構成とするのが好ましい。また、第１と第２の固定部４は、２以上の複数部位で構成されてもよいし、クッション性を有する素材で設けられてもよい。第１と第２の固定部４の素材としては、エーテル系ウレタンエラストマー、エステル系ウレタンエラストマーなどのウレタン系エラストマー、ポリスチレンエラストマー、スチレン−ブタジエン−スチレン（ＳＢＳ）エラストマー、スチレン−イソプレン−スチレン（ＳＩＳ）エラストマーなどのスチレン系エラストマー、ポリエチレンエラストマー、ポリプロピレンエラストマーなどのオレフィン系エラストマー、ポリエステル系エラストマーまたはポリアミド系エラストマーといった、クッション性を有する任意の素材を使用可能であるが、図１と図２の例ではポリエチレンを採用している。
【００２６】
容器収納部５の両側であって、第１と第２の固定部４ａ，４ｂと容器収納部５との間の本体部３には、容器収納部５が設けられた部分における本体部３よりも柔軟性のある、軟質部９を設けている。剛性の高い容器収納部５が設けられた部分における本体部３と、第１と第２の固定部４との接続部に、容器収納部５が設けられた部分における本体部３より柔軟性を有す軟質部９を設けることにより、ウエストバッグ１と装着者における装着部位との適合性をより向上させることができる。
【００２７】
軟質部９は、上記柔軟性に加えて、容器収納部５が設けられた部分における本体部３より伸縮性を有してもよい。これにより、ウエストバッグ１と装着者における装着部位との適合性をさらに向上させることができる。軟質部９の素材としては、例えば、ポリウレタンやゴムといった伸縮性を有する任意の素材を使用可能であるが、図１と図２の例では、ポリエステルのダブルラッセル生地を採用している。
【００２８】
図４を参照して、本発明の実施の形態１に係るウエストバッグ１の装着例を示す。具体的には、図４は、ウエストバッグ１に円筒形の容器１０を収納し、装着者の腰部に装着した状態を示す。
【００２９】
図４に示すように、本体部３の剛性がカバー６より高いために、本体部３が容器１０の外周に沿う大きな曲率となることを抑制できる。そのため、装着者の体と本体部３とが線接触したような状態を回避でき、接触面積を増大させることができる。これにより、装着者の体の揺れに伴うウエストバッグ１の揺れ、特に本体部３長手方向に垂直な方向への揺れを低減でき、ウエストバッグ１の位置ずれを低減できる。その上、カバー６は、伸縮部６ａと低伸縮部６ｂとを有するので、容器１０の外周に当接して、締め付けることができる。これにより、支持部７に対し容器を押し付けて支持部７を変形させることができ、カバー６と支持部７とで容器１０を拘束することができる。その結果、容器１０の揺れや回転を抑制できる。
【００３０】
なお、本発明の実施の形態１に係るウエストバッグ１が収納可能な容器としては、固体、液体、気体の三態いずれかを収めた容器でもよいし、混合物を収めた容器でもよい。容器の形状は、カバー６と支持部７の形状および構成を変更することで、略円筒形に限らず、適用可能である。
【００３１】
以上のように、本実施の形態１に係るウエストバッグ１は、ウエストバッグ１自体の揺れや位置ずれを抑制可能とするために、容器収納部５が設けられた部分における本体部３の剛性をカバー６より高くし、さらに装着者の骨盤に沿うように設けられた第１と第２の固定部４を備えている。また、本実施の形態１に係るウエストバッグ１は、容器１０の揺れや回転を抑制するために、支持部７と、伸縮部６ａと低伸縮部６ｂとを有するカバー６とで、容器１０を締め付けて拘束可能に構成されている。
【００３２】
本願の発明者らは、本発明の実施の形態１に係るウエストバッグ１における容器収納時の揺れを評価したので、その結果について説明する。本発明例として、図１〜図３に示すウエストバッグ１を準備した。比較例として、支持部が形成されておらず、容器収納部全体が伸縮性部材からなり、容器収納部が設けられた部分における本体部は剛性を有さない、市販ボトルポーチを準備した。容器には、５００ｍｌの液体を収めた略円筒形ペットボトルを用いた。
【００３３】
装着者の背中と、ウエストバッグ１のカバー上とに、それぞれ１点ずつ測定用の定点を定め、２点間の距離の変化をランニング時に測定した。男女２名ずつの４名の被験者が５分間ランニングし、ランニング開始から３分経過時から、１歩の動作における２点間の距離の最長と最短の差を算出し、これを５回繰り返して５歩の平均値を求め、ウエストバッグ１の揺れとして評価した。
【００３４】
評価の結果、被験者４名中３名で、本発明の実施の形態１に係るウエストバッグ１は、比較例に比べ揺れを小さく抑制できていることが確認できた。なお、１名については、本発明例と比較例との揺れの差を確認できなかったが、４名中３名については揺れの差を確認できたので、本発明例の方が比較例よりも揺れを抑えられるといえる。
【００３５】
また、本願の発明者らは、本発明の実施の形態１に係るウエストバッグ１における揺れに対して、容器収納部が設けられた部分における本体部の剛性が与える効果を評価した。本発明例として、容器収納部が設けられた部分における本体部を構成するポリエチレン板の厚みのみが異なる図１〜図３に示すウエストバッグ１を２つ準備した。具体的には、ポリエチレン板の厚みが１．０ｍｍと１．５ｍｍの２種を用意した。
【００３６】
なお、ポリエチレン板の剛性をガーレ式試験機にて、荷重取付孔と支点間距離１００ｍｍ、錘２００ｇ、試験片長さ２５ｍｍ、試験片幅６ｍｍの条件で測定したところ、ポリエチレン板厚が１．０ｍｍでは、剛軟度指数値１．３ｍＮ、ポリエチレン板厚が１．５ｍｍでは、剛軟度指数値４．６ｍＮであった。また、本発明例において、容器として略円筒上のペットボトル（直径約７０ｍｍ）を収納したときの、容器収納部が設けられた部分における本体部を構成するポリエチレン板の曲率半径はＲ定規で測定し、カバーの伸縮部の伸長率はオートグラフにより測定した。結果は、ポリエチレン板の厚みが１．０ｍｍでは、曲率半径Ｒは１００ｍｍ、伸縮部の伸長率は２０〜３０％であり、ポリエチレン板の厚みが１．５ｍｍでは、曲率半径Ｒは１５０ｍｍ、伸縮部の伸長率は２０〜５０％であった。比較例として、支持部が形成されておらず、容器収容部全体が非伸縮性部材からなり、容器収納部が設けられた部分における本体部が剛性を有する市販ボトルポーチと、支持部が形成されておらず、容器収容部全体が伸縮性部材からなり、容器収納部が設けられた部分における本体部が剛性を有さない市販ボトルポーチとを準備した。
【００３７】
揺れの評価方法は実施例１と同じ手法である。男性０名、女性３名の３名の被験者が、５分間ランニングし、ランニング開始から３分経過時から、１歩の動作における２点間の距離の最長と最短の差を算出し、これを３回繰り返して３歩の平均値を求め、揺れとして評価した。
【００３８】
評価の結果、被験者３名中３名で、本発明の実施の形態１に係るウエストバッグ１は、比較例と比べて概ね揺れを抑制でき、特にポリエチレン板が１．５ｍｍと厚い場合に揺れを抑制する効果が大きいことが確認できた。ポリエチレン板を厚くすることで容器収納時の容器収納部が設けられた部分における本体部の曲率を抑え、装着者の体との接触面積を大きく取ることができ、ウエストバッグ１の揺れを抑制できるといえる。
【００３９】
以上のように、本発明の実施の形態について説明を行なったが、今回開示された実施の形態はすべての点で例示であって、制限的なものではないと考えられるべきである。本発明の範囲は特許請求の範囲によって示され、特許請求の範囲と均等の意味および範囲のすべての変更が含まれることが意図される。
【産業上の利用可能性】
【００４０】
本発明のウエストバッグは、移動時や運動時等に容器を収納して携行可能とするウエストバッグにおいて、特に有利に適用される。
【符号の説明】
【００４１】
１  ウエストバッグ、２  固定具、３  本体部、４ａ  第１の固定部、４ｂ  第２の固定部、５  容器収納部、６  カバー、６ａ  伸縮部、６ｂ  低伸縮部、７  支持部、８  開口部、９  軟質部、１０  容器。
【図１】
0005947037.tif 000002
【図２】
0005947037.tif 000003
【図３】
0005947037.tif 000004
【図４】
0005947037.tif 000005